(57)【特許請求の範囲】
【請求項１】
被測定物を採取して、前記被測定物の成分を分析し、その測定結果を表すようにした測定装置と、前記測定装置と結合させることで音声等を発する音声出力手段を有するオプション装置とを備えた測定システムであって、
前記オプション装置は、前記測定装置を挿入するための開口部を有し、
前記測定装置は、その前記オプション装置内に挿入される所要箇所にコネクタ部を有し、
前記オプション装置は、該オプション装置内に挿入される前記測定装置の前記コネクタ部に対応する部分に受け部を有し、
前記測定装置及び前記オプション装置は、結合時に互いを係止させるための機構を備え、
前記機構による前記測定装置と前記オプション装置の結合を解除する操作部を前記オプション装置に設け、
前記オプション装置は、前記測定装置での測定手順や測定結果を音声により補助的に告知する、ことを特徴とする測定システム。
【請求項２】
請求項1記載の測定システムにおいて、
前記測定装置は、前記オプション装置との間で測定に関する情報の通信を行う手段を備えた、ことを特徴とする測定システム。
【請求項３】
請求項1記載の測定システムにおいて、
前記オプション装置は、前記測定装置との間で測定に関する情報の通信を行う手段を備えた、ことを特徴とする測定システム。
【請求項４】
請求項1記載の測定システムにおいて、
前記オプション装置の側面には、前記音声出力手段を操作する操作部が配置されている、ことを特徴とする測定システム。
【請求項５】
請求項1記載の測定システムにおいて、
前記オプション装置は、音声の言語の切替え機能を備えた、ことを特徴とする測定システム。
【請求項６】
請求項1記載の測定システムにおいて、
音声の言語の切替えをするための操作レバーを、前記オプション装置の外装ケースで覆い隠すように配置した、ことを特徴とする測定システム。
【請求項７】
請求項1記載の測定システムにおいて、
前記オプション装置に設けられた前記測定装置を挿入するための開口付近には、前記測定装置が挿入される方向にテーパー状の斜面が設けられている、ことを特徴とする測定システム。
【請求項８】
請求項1記載の測定システムにおいて、
前記測定装置の底面側に、前記オプション装置との結合時に前記オプション装置側の係止手段と係止される凹部を設けた、ことを特徴とする測定システム。
【請求項９】
請求項1記載の測定システムにおいて、
前記測定装置と前記オプション装置の互いの結合時に、前記オプション装置に対して前記測定装置の一方向からのみ挿入可能である、ことを特徴とする測定システム。
【請求項１０】
請求項1記載の測定システムにおいて、
前記測定装置及びオプション装置には、前記測定装置の前記オプション装置に対する誤挿入を防止するための機構が設けられている、ことを特徴とする測定システム。
【請求項１１】
請求項1記載の測定システムにおいて、
前記オプション装置の内壁に、前記測定装置との距離規制のためのリブを設けた、ことを特徴とする測定システム。
【請求項１２】
請求項1記載の測定システムにおいて、
前記測定装置とオプション装置の結合時には、前記測定装置及びオプション装置は、前記オプション装置側に設けられた電池により駆動される、ことを特徴とする測定システム。
【請求項１３】
請求項１２記載の測定システムにおいて、
前記測定装置は電池収納部の蓋及び電池を取り外した状態で、前記オプション装置に結合される、ことを特徴とする測定システム。
【請求項１４】
請求項１３記載の測定システムにおいて、
前記測定装置に設けられた電池収納部の蓋を、前記オプション装置用の電池を収容する電池収容部の蓋として共用にした、ことを特徴とする測定システム。
【請求項１５】
請求項１３記載の測定システムにおいて、
前記測定装置の電池収納部の蓋には、前記測定装置と結合するための結合手段と、前記測定装置から前記電池収納部の蓋を取り外すための結合解除手段とを備えた、ことを特徴とする測定システム。
【請求項１６】
請求項１３記載の測定システムにおいて、
前記オプション装置に前記測定装置から取り外した電池の収納部を設けた、ことを特徴とする測定システム。
【請求項１７】
請求項１４記載の測定システムにおいて、
前記電池収納部の蓋の内壁に設けられたリブの先端形状が、複数の種類の部品を押さえるために、フラット部と円形部を有する、ことを特徴とする測定システム。
【請求項１８】
請求項1記載の測定システムにおいて、
前記測定装置に設けられた、前記測定装置とオプション装置の通信用コネクタ部のパターン長さが、前記測定装置とオプション装置の結合時における前記測定装置のスライド方向に異なる、ことを特徴とする測定システム。
【請求項１９】
請求項1記載の測定システムにおいて、
前記測定装置とオプション装置との電池接点のための前記測定装置側の端子が、前記測定装置のメインプリント基板の一部に形成されたものである、ことを特徴とする測定システム。
【請求項２０】
請求項1記載の測定システムにおいて、
前記測定装置と前記オプション装置との電気接続をするための前記測定装置側の端子は、前記測定装置側の電池収納部内に設けられている、ことを特徴とする測定システム。
【請求項２１】
請求項1記載の測定システムにおいて、
前記測定装置による測定の待機中に測定が開始されない場合、前記オプション装置により音声等で測定開始を促す、ことを特徴とする測定システム。
【請求項２２】
請求項1記載の測定システムにおいて、
前記測定装置による測定中、残り時間を前記オプション装置により音声等で知らせる、ことを特徴とする測定システム。
【請求項２３】
請求項1記載の測定システムにおいて、
前記測定装置による測定終了時、電源が切断されたことを前記オプション装置により音声等で知らせる、ことを特徴とする測定システム。
【請求項２４】
請求項1記載の測定システムにおいて、
前記測定装置の時計設定等の初期設定は、前記オプション装置側の操作部により設定可能である、ことを特徴とする測定システム。
【請求項２５】
請求項1記載の測定システムにおいて、
前記オプション装置と前記測定装置を接続したときに、前記測定装置の時計設定等の初期設定がされていないときには、初期設定が必要であることを前記オプション装置により音声等で知らせる、ことを特徴とする測定システム。
【発明の詳細な説明】
【０００１】
技術分野
本発明は、種々の生体試料中の特定成分を高精度で、迅速かつ容易に定量することのできるバイオセンサに好適なバイオセンサ測定装置と、該測定装置と結合可能であり、前記測定装置での測定手順や測定結果を音声により補助的に告知するオプション装置とを備えた測定システムに関する。
【０００２】
背景技術
図６，図７にバイオセンサを用いたバイオセンサ測定装置の一例を示す。測定装置１にはバイオセンサ２を挿入するためのセンサ挿入口３、各種操作を行うための操作ボタン４、測定結果ならびに時刻等の各種情報を表示する表示手段５が設けられている。裏面には電池６の収納部７が設けられ、裏蓋８によって電池６を接点９に押し付けた状態で固定する。測定装置１内部にはバイオセンサ２によって得られた被検液（試料）の電気抵抗値を被検液の特性値（例えば血糖値）に変換する変換手段と、特性値の記憶手段と、記憶手段に格納されている値や測定によって得られた特性値をもとに平均値算出等の各種演算を行う演算手段とからなる測定部と、表示手段５の制御手段、等がプリント基板（図示しない）上に形成されて設けられている。
【０００３】
バイオセンサ２は図８に示すように、基板１０の表面に対極１１および測定極１２、それらに連なるリード１３および１４、さらに絶縁層１５が設けられ、対極１１と測定極１２を覆うように酵素およびメディエータ（電子受容体）を含有する反応層（図示せず）が形成されている。そして、この基板１０の表面を、測定極１２に相応する部位にＵ状の切欠部１６を形成したスペーサ１７と、スペーサ１７の切欠部１６に連絡する空気孔１８を形成したカバー１９とで順次覆い、基板１０、スペーサ１７、カバー１９の３者を互いに固定することにより構成されている。２０は測定装置１への装着端であり、２０ａは測定装置１へのバイオセンサ２の逆挿入を防止するために設けられた突起部である。したがって、バイオセンサ２の装着端２０を測定装置１へ装着した状態で、バイオセンサ２の先端に被検液（試料）を滴下すると、被検液は毛管現象により切欠部１６を通じて対極１１および測定極１２の上に導かれ、対極１１および測定極１２の上の空気は空気孔１８から排出される。
【０００４】
測定後、測定装置１の変換手段によって求められた特性値は、表示手段５上に表示される。
上記のような構成のバイオセンサ測定装置１では、測定結果の出力は表示手段５による表示のみによって行われる。しかしながら例えば使用者が弱視者の場合は、その表示を確認することが困難であるという問題があった。
【０００５】
この問題への対応として、図９のような測定装置が考案されている。図９において図６と同一の番号は同一のものを示している。測定装置１表面には、表示手段５とは別に音声出力部２１が設けられおり、測定装置１内部には測定部の他に、特性値や各種情報を音声によって告知する音声出力手段（いずれも図示しない）が設けられている。
【０００６】
しかしながら上記構成においては、測定装置内に測定から音声出力までのすべての部位を内蔵したため装置が高価なものになり、例えば複数の使用者が音声出力を必要とする場合は、各人が高価な装置を所有する必要があった。また音声出力部が故障した場合でも、装置すべてを修理、交換する必要があり使用者にとって不便であった。
【０００７】
本発明は上記問題点を解決するためになされたものであり、被測定物を採取して、前記被測定物の成分を分析し、測定値を表示可能な測定装置と、音声出力部を有するオプション装置とからなり、測定装置とオプション装置を結合させることで測定装置における測定結果や測定手順を音声にしてオプション装置より補助的に使用者に告知することができる測定システムを提供することを目的とする。
【０００８】
発明の開示
本発明（請求項１）に係る測定システムは、被測定物を採取して、前記被測定物の成分を分析し、その測定結果を表すようにした測定装置と、前記測定装置と結合させることで音声等を発する音声出力手段を有するオプション装置とを備えた測定システムであって、前記オプション装置は、前記測定装置を挿入するための開口部を有し、前記測定装置は、その前記オプション装置内に挿入される所要箇所にコネクタ部を有し、前記オプション装置は、該オプション装置内に挿入される前記測定装置の前記コネクタ部に対応する部分に受け部を有し、前記測定装置及び前記オプション装置は、結合時に互いを係止させるための機構を備え、前記機構による前記測定装置と前記オプション装置の結合を解除する操作部を前記オプション装置に設け、前記オプション装置は、前記測定装置での測定手順や測定結果を音声により補助的に告知する、ものとしたものである。これにより、弱視者や装置の取り扱いに不慣れな者でも確実な測定を行え、測定結果を知ることができる。また、測定装置とオプション装置とを合体、分離可能に構成することで、弱視者とそれ以外の人それぞれに対応できるものであり、複数の使用者が音声機能を必要とする場合でも、測定データを管理する測定装置だけを各人が所有すれば良く、オプション装置は共有することができ使用者の経済的な負担が少なくなる。また、音声出力部が故障した場合は、オプション装置だけを修理、交換すれば良く、測定装置は引き続き使用することができ、使用者にとっての利便性を向上させることができる。また、前記測定装置とオプション装置の簡便な合体と強固な固定を実現できる。また、操作部が予期せぬ時に操作され、前記測定装置とオプション装置の結合が解除されることを防止できる。
【０００９】
本発明（請求項２）に係る測定システムは、請求項1記載の測定システムにおいて、前記測定装置は、前記オプション装置との間で測定に関する情報の通信を行う手段を備えた構成としたものである。これにより、前記測定装置から前記オプション装置への測定結果等のデータの転送が可能となる。
【００１０】
本発明（請求項３）に係る測定システムは、請求項1記載の測定システムにおいて、前記オプション装置は、前記測定装置との間で測定に関する情報の通信を行う手段を備えた構成としたものである。これにより、前記測定装置から転送された測定結果等のデータを前記オプション装置が受信することができる。
【００１１】
本発明（請求項４）に係る測定システムは、請求項1記載の測定システムにおいて、前記オプション装置の側面には、前記音声出力手段を操作する操作部が配置されているものである。これにより、測定者が本システムを手に持った時の操作が容易になり、快適な操作性を提供できる。
【００１２】
本発明（請求項５）に係る測定システムは、請求項1記載の測定システムにおいて、前記オプション装置は、音声の言語の切替え機能を備えた構成としたものである。これにより、使用者に応じて幅広い言語に対応することができる。
【００１３】
本発明（請求項６）に係る測定システムは、請求項1記載の測定システムにおいて、音声の言語の切替えをするための操作レバーを、前記オプション装置の外装ケースで覆い隠すように配置したものである。これにより、使用者が誤って音声言語を切り替えてしまうことを防止できる。
【００１４】
本発明（請求項７）に係る測定システムは、請求項1記載の測定システムにおいて、前記オプション装置に設けられた前記測定装置を挿入するための開口には、前記測定装置が挿入される方向にテーパー状の斜面が設けられているものである。これにより、前記オプション装置に設けられた斜面がガイドの役目を果たし、前記測定装置とオプション装置の確実な合体が可能である。
【００１７】
本発明（請求項８）に係る測定システムは、請求項1記載の測定システムにおいて、前記測定装置の底面側に、前記オプション装置との結合時に前記オプション装置側の係止手段と係止される凹部を設けた構成としたものである。これにより、簡単な操作で前記測定装置とオプション装置の結合を解除できる。
【００１８】
本発明（請求項９）に係る測定システムは、請求項1記載の測定システムにおいて、前記測定装置と前記オプション装置の互いの結合時に、前記オプション装置に対して前記測定装置の一方向からのみ挿入可能であるものである。これにより、前記測定装置の前記オプション装置に対する誤挿入を防ぎ、両装置の破損を防止することができる。
【００１９】
本発明（請求項１０）に係る測定システムは、請求項1記載の測定システムにおいて、前記測定装置及びオプション装置には、前記測定装置の前記オプション装置に対する誤挿入を防止するための機構が設けられているものである。これにより、前記測定装置の前記オプション装置に対する誤挿入を防ぎ、両装置の破損を防止することができる。
【００２０】
本発明（請求項１１）に係る測定システムは、請求項1記載の測定システムにおいて、前記オプション装置の内壁に、前記測定装置との距離規制のためのリブを設けた構成としたものである。これにより、前記測定装置が必要以上に前記オプション装置に挿入されることを防ぎ、両装置の破損を防止することができる。
【００２１】
本発明（請求項１２）に係る測定システムは、請求項1記載の測定システムにおいて、前記測定装置とオプション装置の結合時には、前記測定装置及びオプション装置は、前記オプション装置側に設けられた電池により駆動されるものである。これにより、前記測定装置とオプション装置の結合時に前記測定装置側の電池が不要になる。
【００２２】
本発明（請求項１３）に係る測定システムは、請求項１２記載の測定システムにおいて、前記測定装置は電池収納部の蓋及び電池を取り外した状態で、前記オプション装置に結合されるものである。これにより、前記測定装置とオプション装置の結合時に前記測定装置の電池の有無を検出することができ、前記測定装置からの電池の抜き忘れを防止することができる。
【００２３】
本発明（請求項１４）に係る測定システムは、請求項１３記載の測定システムにおいて、前記測定装置に設けられた電池収納部の蓋を、前記オプション装置用の電池を収容する電池収容部の蓋として共用にしたものである。これにより、 前記測定装置とオプション装置の結合の際に、前記測定装置から取り外された電池収納部の蓋が紛失するのを防止することができる。
【００２４】
本発明（請求項１５）に係る測定システムは、請求項１３記載の測定システムにおいて、前記測定装置の電池収納部の蓋には、前記測定装置と結合するための結合手段と、前記測定装置から前記電池収納部の蓋を取り外すための結合解除手段とを備えた構成としたものである。これにより、前記電池収納部の蓋が前記測定装置から偶発的に外れるのを防止することができる。
【００２５】
本発明（請求項１６）に係る測定システムは、請求項１３記載の測定システムにおいて、前記オプション装置に前記測定装置から取り外した電池の収納部を設けた構成としたものである。これにより、前記測定装置の電池の紛失や、電池の散逸による事故を防止することができる。
【００２６】
本発明（請求項１７）に係る測定システムは、請求項１４記載の測定システムにおいて、前記電池収納部の蓋の内壁に設けられたリブの先端形状が、複数の種類の部品を押さえるために、フラット部と円形部を有する構成としたものである。これにより、前記測定装置と前記オプション装置で異なる形状の電池が使用されていても、各形状の電池を確実に保持することが可能である。
【００２７】
本発明（請求項１８）に係る測定システムは、請求項1記載の測定システムにおいて、前記測定装置に設けられた、前記測定装置とオプション装置の通信用コネクタ部のパターン長さが、前記測定装置とオプション装置の結合時における前記測定装置のスライド方向に異なるものである。これにより、コネクタ部の電極を所望の順序で接続させることができる。
【００２８】
本発明（請求項１９）に係る測定システムは、請求項1記載の測定システムにおいて、前記測定装置とオプション装置との電池接点のための前記測定装置側の端子を、前記測定装置のメインプリント基板の一部に形成されたものである。これにより、 前記測定装置の部品点数の削減と、組立工数の削減により容易な組立を実現できる。
【００２９】
本発明（請求項２０）に係る測定システムは、請求項1記載の測定システムにおいて、前記測定装置と前記オプション装置との電気接続をするための前記測定装置側の端子は、前記測定装置側の電池収納部内に設けられているものである。これにより、前記測定装置のみの使用時に、使用者が不用意に端子部に触ることを防止することができる。
【００３０】
本発明（請求項２１）に係る測定システムは、請求項1記載の測定システムにおいて、前記測定装置による測定の待機中に測定が開始されない場合、前記オプション装置から音声等により測定開始を促すものである。これにより、測定手順の途中において測定作業者が作業を中断するのを防止することができる。
【００３１】
本発明（請求項２２）に係る測定システムは、請求項1記載の測定システムにおいて、前記測定装置による測定中、残り時間を前記オプション装置により音声等で知らせるものである。これにより、測定作業者が容易に作業の経過時間を知ることができる。
【００３２】
本発明（請求項２３）に係る測定システムは、請求項1記載の測定システムにおいて、前記測定装置による測定終了時、電源が切断されたことを前記オプション装置により音声等で知らせるものである。これにより、測定作業者が容易に測定装置の電源を遮断されたことを知ることが可能である。
【００３３】
本発明（請求項２４）に係る測定システムは、請求項1記載の測定システムにおいて、前記オプション装置側の操作部により時計設定等の初期設定を設定できるものである。これにより、オプション装置が必要な作業者にとって、測定装置の時刻設定を容易に行うことができる。
【００３４】
本発明（請求項２５）に係る測定システムは、請求項1記載の測定システムにおいて、前記オプション装置と前記測定装置を接続したとき、時計設定等の初期設定がされていないときには、初期設定が必要であることを前記オプション装置により音声等で知らせるものである。これにより、オプション装置が必要な作業者が不用意に時刻設定を行わずに測定をする事が回避可能である。
【００３５】
発明を実施するための最良の形態
以下、本発明の測定システムを図面に基づいて具体的に説明する。
図１〜図３に本発明の測定システムを示す。図中で図６，図７と同一の番号は同一又は相当部分を示すものとする。
【００３６】
図１に示すように、測定装置１はそれ自体でも測定可能な機能を備えており、バイオセンサ２をセンサ挿入口３へ差込み、所定の操作を行うことで、測定結果等の情報が表示手段５に表示される。またオプション装置２２には前記測定装置１を結合でき、図２に示すように、測定装置１と結合された状態において測定装置１からの測定結果等の情報を受けたり、測定操作のガイダンスを行うことが可能である。
【００３７】
オプション装置２２前面には測定装置１を挿入するための開口部２３が設けられ、開口部２３には前部の高さｈより後部の高さＨの方が高くなるよう形成された傾斜部２４が設けられている。オプション装置２２内部には測定装置１の通信部との通信によって得られた結果や、測定操作のガイダンスを音声として発生する電子回路（いずれも図示しない）が設けられ、オプション装置２２上面の音声出力部２１を通じて出力される。オプション装置２２上面の形状は、合体後でも測定装置１の表示手段５が目視可能に構成され、オプション装置２２側面には操作部２５が設けられている。
【００３８】
図３に示すように、測定装置１裏面には凹部２６と、電池収納部７と、オプション装置２２と電気的接触を行うためのコネクタ部２７が設けられている。
【００３９】
測定装置１内部には、バイオセンサ２によって得られた被検液の電気抵抗値を被検液の特性値に変換する変換手段と、特性値の記憶手段と、記憶手段に格納されている値や測定によって得られた特性値をもとに平均値算出等の各種演算を行う演算手段とからなる測定部と、表示手段５の制御手段と、オプション装置２２と通信を行うための通信手段等の電子回路を備えたメインプリント基板（図示しない）と、電極部（図示しない）が設けられている。コネクタ部２７はメインプリント基板の一部に一体的に形成されており、アース接続用パターン２８ａは他のパターンより長く構成されている。
【００４０】
オプション装置２２裏面の電池収納部３２には電池３３が納められている。また、裏蓋３０によって覆われる部分には出力される音声の言語を切り替えるための切り替えスイッチ４３が設けられている。
【００４１】
図４はオプション装置２２を開口部２３側から見た断面図である。オプション装置２２内部にはロックレバー３６が支点３６ａを中心に保持された状態で設置されており、ロック部３６ｂがスプリング３７の作用により普段はＤ方向に付勢されている。ロック部３６ｂと支点３６ａをはさんだ反対側には平坦部３６ｃが、オプション装置２２底部の凹部３８の内側に位置するよう設けられている。開口部２３の奥には測定装置１のコネクタ部２７を受けるための受け部４０が設けられている。オプション装置２２内部には測定装置１と通信するための通信手段（図示しない）が設けられ、通信はコネクタ部２７と受け部４０を通じて行われる。また、開口部２３の内部上面には、測定装置１と受け部４０側との距離を規制するための距離規制リブ４５が設けられている。
【００４２】
図５に示すように、裏蓋３０が測定装置１に装着されている場合、裏蓋３０はロック爪３０ａの作用により、測定装置１に固定されている。このときリブ４２の直線部分４２ａにより電池６は接点９に押し付けられているが、接点９下部に設けられた突起部２９が接点９と接触することで、接点９と電池６の接点圧は適当に保たれる。
【００４３】
ここで上記構成を有する本発明の測定システムにおける動作を説明する。
測定装置１とオプション装置２２を合体させる場合は、測定装置１の開口部３１から裏蓋３０の平坦部３０ｂを押すことでロックを解除し、測定装置１から裏蓋３０及び電池６を取り外し、オプション装置２２の開口部２３より測定装置１を挿入する。この際オプション装置２２の傾斜部２４により、測定装置１はオプション装置２２内部へ導かれる。さらに測定装置１を押してゆくと、測定装置１において、溝幅Ｗを有する溝部４４と、オプション装置２２において前記Ｗと同じ幅Ｗ’を有するガイドリブ３９とが組み合わさる事により、測定装置１のコネクタ部２７がオプション装置２２の受け部４０へ案内され、最初にパターン２８ａが受け部４０の電極と接触し、アース接続がなされた後に、残りのパターン２８と電極が接続される。
【００４４】
またコネクタ部２７と受け部４０の接続完了後、オプション装置２２のロックレバー３６のロック部３６ｂと測定装置１底面の凹部２６が係合し、測定装置１がオプション装置２２に対して固定される。
【００４５】
測定装置１がオプション装置２２にロックされた状態では、オプション装置２２の底面の凹部３８においてロックレバー３６の平坦部３６Ｃがオプション装置２２の底面から突き出さないようにすることで、不用意にロックレバー３６が解除されないように構成している。
【００４６】
測定装置１から取り外された裏蓋３０はオプション装置２２の電池収納部３２のカバーとしてオプション装置２２に装着され、この時裏蓋３０上のリブ４２の曲線部分４２ｂによって電池３３は保持される。同時に測定装置１から取り外された電池６はオプション装置２２に設けられた収納部３５に収納される。
【００４７】
測定装置１とオプション装置２２の合体時には、オプション装置２２側の電池３３によりオプション装置２２と測定装置１が駆動される。
【００４８】
測定装置１とオプション装置２２が結合した状態では、バイオセンサ２を測定装置１のセンサ挿入口３に装着し、試料の測定をおこなうが、この際、音声出力部２１から測定操作の音声ガイダンスや測定結果が音声によって出力される。また測定装置１による測定の待機中に測定が開始されない場合、オプション装置２２は音声等により測定開始を促すようになっている。また測定中、測定結果が出力されるまでの残り時間をオプション装置２２の音声出力部２１から音声等で知らせることで、測定作業者が容易に作業の経過時間を知ることができると共に、測定終了時、電源が遮断されたことを知らせるために、オプション装置２２の音声出力部２１からは測定開始からの経過時間等も告知される。
【００４９】
オプション装置２２の操作部２５を操作することで、出力される音声のボリュームの設定や、繰り返し出力を行うこと、等の各種の設定操作が行える。また、切り替えスイッチ４３を操作することで、出力される音声の言語を切り替えることができる。
【００５０】
測定装置１の時計設定等の初期設定は、オプション装置２２側の操作部２５の回転及びプッシュ操作により任意に設定することができ、これにより、測定データ等の測定値の取得年月日等を誤りなく保存可能であるが、一方、オプション装置２２と測定装置１を接続したときに、測定装置１の時計設定等の初期設定がされていないときには、初期設定が必要であることが音声出力部２１から告知され、これによって、オプション装置２２が必要な作業者が不用意に時刻設定を行わずに測定をしてしまうことを、回避することが可能である。
【００５１】
オプション装置２２と測定装置１の合体を解除する場合は、オプション装置２２におけるロックレバー３６の平坦部３６ｃを押すことで、ロックレバー３６が支点３６ａを中心に矢印Ｅ方向に回動し、ロック部３６ｂと測定装置１の凹部２６の係合が解除され、測定装置１の取り外しが可能となる。
【００５２】
以上のように、本発明の実施の形態１による測定システムによれば、被測定物を採取して、前記被測定物の成分を分析するようにした測定装置１と、前記測定装置と結合させることで音声等を発することが可能なオプション装置２２とを備え、前記測定装置１での測定手順や測定結果を前記オプション装置２２により音声で告知することができ、弱視者や装置の取り扱いに不慣れな者でも確実な測定や、測定結果の認識ができる。
【００５３】
測定装置１と音声機能を持ったオプション装置２２を合体、分離可能に構成したことで、複数の使用者が音声機能を必要とする場合でも、測定データを管理する測定装置１だけを各人が所有すれば良く、オプション装置２２は共有することができ、使用者の負担が少なくなる。また、音声出力部２１が故障した場合は、オプション装置２２だけを修理、交換すれば良く、測定装置１は引き続き使用できるため、使用者にとっての不便さを軽減することができる。
【００５４】
測定装置１には溝部４４を設け、またオプション装置２２側にはガイドリブ３９を設けることにより、例えば従来の測定装置や、他の機種がオプション装置２２に結合されようとした場合に、前記ガイドリブ３９がストッパとなることで、測定装置１の誤挿入を防止することができる。
【００５５】
また、測定装置１とオプション装置２２との合体時に測定装置１から裏蓋３０が取り外されていない場合は、ガイドリブ３９が裏蓋３０と当接するため、測定装置１の不正規な挿入を防止することができる。測定装置１から電池６が取り外されていない場合、測定装置１の向きが不正規な場合、溝部４４が設けられていない測定装置を挿入しようとした場合にも同様な効果がある。
【００５６】
さらに、測定装置１とオプション装置２２の合体時には、測定装置１の裏蓋３０を取外し、オプション装置２２の電池収納部３２へ取付けるようにすることで、前記裏蓋３０の紛失等を防止できる。またこのとき、測定装置１から取り外した電池６をオプション装置２２の電池収納部３５へ収納することで、電池の紛失や散逸等による事故を防止できる。
【００５７】
また、前記測定装置から裏蓋３０を取り外す際は、前記測定装置１の開口部３１から裏蓋３０の平坦部３０ｂを押すことでロックを解除させるようにすることで、偶発的な裏蓋の外れをなくすことができ、電池の散逸による事故を防止できる。
【００５８】
測定装置１のコネクタ部２７でアース接続用パターンを、他のパターンより長く構成することにより、測定装置１とオプション装置２２の結合時、最初にアース接続が行われ、その後に残りのパターンの接続が完了するため、電気的に安定で確実な接続が可能となる。
【００５９】
このコネクタ部２７を測定装置１のメインの基板の一部に一体的に形成するため、部品点数の削減と、組立て工数の削減等により、組立工程の簡略化を実現できる。
【００６１】
産業上の利用可能性
以上のように本発明の測定システムによれば、複数の使用者が音声機能を必要とする場合でも、測定データを管理する測定装置だけを各人が所有すれば良く、オプション装置は共有することができ、使用者の経済的な負担が少なくなる。また音声出力部が故障した場合は、オプション装置だけを修理、交換すれば良く、測定装置は引き続き使用できるため、使用者にとっての利便性を向上させることができる。
【図面の簡単な説明】
【図１】  本発明の測定システムを構成する測定装置及びオプション装置の斜視図である。
【図２】  本発明の測定システムの斜視図である。
【図３】  本発明の測定システムを構成する測定装置及びオプション装置の底面方向より見た斜視図である。
【図４】  本発明のオプション装置の断面図である。
【図５】  本発明の測定装置またはオプション装置の電池収納部の断面図である。
【図６】  従来の測定装置の斜視図である。
【図７】  従来の測定装置の裏面の斜視図である。
【図８】  バイオセンサの分解斜視図である。
【図９】  従来の音声出力機能を備えた測定装置の斜視図である。
【図１】
0004707296.tif 000002
【図２】
0004707296.tif 000003
【図３】
0004707296.tif 000004
【図４】
0004707296.tif 000005
【図５】
0004707296.tif 000006
【図６】
0004707296.tif 000007
【図７】
0004707296.tif 000008
【図８】
0004707296.tif 000009
【図９】
0004707296.tif 000010